(57)【要約】【課題】室内を照らすＬＥＤチップからの光束を利用して、室内だけでなく照明器具の端面部も照らすことができるＬＥＤ照明器具を提供すること。【解決手段】照明光源として複数配されたＬＥＤチップ２と、ＬＥＤチップ２と対向して配されてＬＥＤチップ２を保護するカバー３と、カバー３の端部に配されたキャップ部６Ａ，６Ｂと、を備え、キャップ部６Ａ，６Ｂの裏面６ｆが、ＬＥＤチップ２から照射された光束ＬＦの一部がキャップ部６Ａ，６Ｂの表面６ａの一部を照射するように誘導する導光部となっている。【選択図】図５
2012069367.tif 000002
【特許請求の範囲】
【請求項１】
照明光源として複数配されたＬＥＤチップと、
前記ＬＥＤチップと対向して配されて前記ＬＥＤチップを保護するカバーと、
前記カバーの端部に配されたキャップ部と、
前記ＬＥＤチップから照射された光束の一部が前記キャップ部の表面の一部を照射するように誘導する導光部と、
を備えていることを特徴とするＬＥＤ照明器具。
【請求項２】
前記キャップ部の表面の一部が外側に突出して又は内側にへこんで形成された段部に開口部が配され、
前記一部の光束が反射又は屈折して前記開口部を通過するように前記導光部が誘導することを特徴とする請求項１に記載のＬＥＤ照明器具。
【請求項３】
前記導光部が、前記キャップ部と一体に配されていることを特徴とする請求項１又は２に記載のＬＥＤ照明器具。
【請求項４】
前記光束が透過する仕切り部材が前記開口部近傍に設けられていることを特徴とする請求項１から３の何れか一つに記載のＬＥＤ照明器具。
【発明の詳細な説明】
【技術分野】
【０００１】
本発明は、天井等に取り付けて室内等を照明する、いわゆるベースライト呼ばれるタイプに類するＬＥＤ照明器具に関する。
【背景技術】
【０００２】
従来のＬＥＤ照明器具は、図８に示すように、逆富士型蛍光灯と呼ばれるベースライトに取り付けられる蛍光管と同様の外形状を有して、その中にＬＥＤチップが複数配置されたものが知られている（例えば、特許文献１参照。）。
【０００３】
また、主照明光源に蛍光灯を用い、補助照明光源としてＬＥＤチップが配されたものを蛍光灯の両端面に配置して、低照度の照明を行う際に用いる照明器具がある（例えば、特許文献２参照。）
【先行技術文献】
【特許文献】
【０００４】
【特許文献１】特開２００９−１０５３５５号公報
【特許文献２】特許第４５４４９２２号公報
【発明の概要】
【発明が解決しようとする課題】
【０００５】
しかしながら、上記従来の照明器具では、照明のためのＬＥＤチップからの光束が、照らすべき室内に向かってのみ照射されており、灯具の保持部材に向かって照射されるような光束はないのが通常である。そのため、ＬＥＤ照明器具を天井等に取り付けて点灯させた場合に、端面部（図８に示すａ部）が相対的に暗くなるので、例えば、この端面部に、掲示されたり、シール等に印刷されて貼り付けられたりする文字やマークが視認されにくいといった問題もある。
【０００６】
本発明は上記事情に鑑みて成されたものであり、室内を照らすＬＥＤチップからの光束を利用して、室内だけでなく照明器具の端面も照らすことができるＬＥＤ照明器具を提供することを目的とする。
【課題を解決するための手段】
【０００７】
本発明は、上記課題を解決するため、以下の手段を採用する。
本発明に係るＬＥＤ照明器具は、照明光源として複数配されたＬＥＤチップと、前記ＬＥＤチップと対向して配されて前記ＬＥＤチップを保護するカバーと、前記カバーの端部に配されたキャップ部と、前記ＬＥＤチップから照射された光束の一部が前記キャップ部の表面の一部を照射するように誘導する導光部と、を備えていることを特徴とする。
【０００８】
また、本発明に係るＬＥＤ照明器具は、前記ＬＥＤ照明器具であって、前記キャップ部の表面の一部が外側に突出して又は内側にへこんで形成された段部に開口部が配され、前記一部の光束が反射又は屈折して前記開口部を通過するように前記導光部が誘導することを特徴とする。
【０００９】
また、本発明に係るＬＥＤ照明器具は、前記ＬＥＤ照明器具であって、前記導光部が、前記キャップ部と一体に配されていることを特徴とする。
【００１０】
また、本発明に係るＬＥＤ照明器具は、前記ＬＥＤ照明器具であって、前記光束が透過する仕切り部材が前記開口部近傍に設けられていることを特徴とする。
【発明の効果】
【００１１】
本発明によれば、室内だけでなく、灯具の端面に掲示された文字やマークを照らすことができ、これらを良く認識させることができる。
【図面の簡単な説明】
【００１２】
【図１】本発明の第１の実施形態に係るＬＥＤ照明器具を示す全体斜視図である。
【図２】本発明の第１の実施形態に係るＬＥＤ照明器具のキャップ部を示す拡大斜視図である。
【図３】本発明の第１の実施形態に係るＬＥＤ照明器具のキャップ部を示す内面側からの拡大斜視図である。
【図４】本発明の第１の実施形態に係るＬＥＤ照明器具を示す要部断面図である。
【図５】本発明の第１の実施形態に係るＬＥＤ照明器具の作用を示す説明図である。
【図６】本発明の第２の実施形態に係るＬＥＤ照明器具及びその作用を示す図である。
【図７】本発明の第３の実施形態に係るＬＥＤ照明器具及びその作用を示す図である。
【図８】従来のＬＥＤ照明器具を示す全体斜視図である。
【発明を実施するための形態】
【００１３】
本発明に係る第１の実施形態について、図１から図５を参照して説明する。
本実施形態に係るＬＥＤ照明器具１００は、図１から図４に示すように、長手方向に伸びる放熱板１と、不図示のＬＥＤ基板とともに照明光源として放熱板１の一面１ａに複数配されたＬＥＤチップ２と、放熱板１に沿って長手方向に伸びて形成されるとともにＬＥＤチップ２と対向して配されて、ＬＥＤチップ２を保護するカバー３と、カバー３の幅方向の端部を保持するためのガイド板５と、放熱板１、カバー３、及びガイド板５の長手方向両端部に配され、表面６ａの一部が突出して形成された段部６ｂに開口部６ｃが配された一対のキャップ部６Ａ，６Ｂと、を備えている。
【００１４】
キャップ部６Ａ，６Ｂは、何れも同一形状に構成される。そのため、以降、代表してキャップ部６Ａについて説明する。キャップ部６Ａの表面６ａには、文字ＬＥの印刷やシールを貼り付けるために凹状に形成された掲示部６ｄと、掲示部６ｄに対して突出して形成された凸面部６ｅと、が配されている。
【００１５】
段部６ｂは、掲示部６ｄと凸面部６ｅとの境界に配されている。凸面部６ｅの裏面（導光部）６ｆは、反射効率を高めるために平滑とされ、白色のシール等が貼られていてもよいし、白色に塗装されていてもよい。または、反射効率の良い反射塗料が塗布されていてもよい。この裏面６ｆは、ＬＥＤチップ２から照射された光束ＬＦの一部が反射して開口部６ｃに向かうような曲面形状となっている。
【００１６】
キャップ部６Ａとカバー３との間には、ＰＥＴシートのような透明素材で構成されてキャップ部６Ａの内面に密着するように配された仕切り板７が配されている。この仕切り板７は、キャップ部６Ａの開口部６ｃからゴミや虫がカバー３内に侵入するのを防止している。
【００１７】
次に本実施形態に係るＬＥＤ照明器具１００の作用について図５を参照しながら説明する。
ＬＥＤチップ２からは、光束ＬＦがカバー３に向かって３６０度の円面で照射される。ここで、キャップ部６Ａに向かった一部の光束ＬＦは、仕切り板７を透過して、キャップ部６Ａの裏面６ｆに到達する。そして、裏面６ｆで開口部６ｃに向かって反射された光束ＬＦは、キャップ部６Ａの掲示部６ｄに到達する。この際、一部の光束ＬＦはキャップ部６Ａより外側にも漏れて、天井を照らす間接照明となる。
【００１８】
このＬＥＤ照明器具１００によれば、室内を照らすためにＬＥＤチップ２から照射された光束ＬＦの一部を利用して、キャップ部６Ａの掲示部６ｄを照明することができ、掲示部６ｄに掲示された文字やマークを視認しやすくすることができる。そのため、従来、掲示場所として使用価値がありながらも使用されていなかったＬＥＤ照明器具の一部を、標語やスローガン、広告等に使用することができ、ＬＥＤ照明器具の付加価値を高めることができる。また、新しい機能を付加させることで、ＬＥＤ照明器具の代替促進につなげることもできる。さらに、従来は掲示物として、天井からつり下げるような標識類の代わりに掲示部６ｄに掲示することができ、天井からの吊下げ物等を不要にして、経費を削減することができる。この際、天井部分の空気の流れを吊下げ物等で妨げることがなくなるので、空調負荷も低減することができる。
【００１９】
次に、第２の実施形態について図６を参照しながら説明する。
なお、上述した第１の実施形態と同様の構成要素には同一符号を付すとともに説明を省略する。
第２の実施形態と第１の実施形態との異なる点は、本実施形態に係るＬＥＤ照明器具２００が、裏面６ｆとは別に、蒸着鏡や鏡面金属板等の反射率の高い部材で構成され、キャップ部６Ａの裏面６ｆに沿うように配された反射板１０を導光部として備えているとした点である。
【００２０】
このＬＥＤ照明器具２００では、キャップ部６Ａに向かった光束ＬＦは、仕切り板７を透過して、反射板１０に到達する。そして、開口部６ｃに向かって反射板１０で反射された光束ＬＦは、キャップ部６Ａの掲示部６ｄに到達する。
【００２１】
このＬＥＤ照明器具２００によれば、反射効率のよい反射板１０を備えているので、ＬＥＤチップ２からの光束ＬＦの減衰を最小限に抑えることができ、掲示部６ｄを明るく照らすことができる。
【００２２】
次に、第３の実施形態について図７を参照しながら説明する。
なお、上述した他の実施形態と同様の構成要素には同一符号を付すとともに説明を省略する。
第３の実施形態と他の実施形態との異なる点は、本実施形態に係るとＬＥＤ照明器具３００が、裏面６ｆとは別に、光学ガラスや透明素材のプラスチックで作られたプリズム２０を導光部として備えているとした点である。
【００２３】
プリズム２０は、光束ＬＦが開口部６ｃから掲示部６ｄに到達するように屈折率が調節されて形成され、キャップ部６Ａの所定の場所に配されている。この際、プリズム２０は、開口部６ｃに密着して保持される。
【００２４】
このＬＥＤ照明器具３００では、キャップ部６Ａに向かった光束ＬＦは、プリズム２０に到達する。そして、開口部６ｃに向かってプリズム２０で屈折された光束ＬＦは、キャップ部６Ａの掲示部６ｄに到達する。
【００２５】
このＬＥＤ照明器具３００によれば、第２の実施形態に係るＬＥＤ照明器具２００と同様に、ＬＥＤチップ２からの光束ＬＦの減衰を最小限に抑えた状態で掲示部６ｄを明るく照らすことができる。また、プリズム２０が開口部６ｃに密着して保持されることにより、開口部６ｃからのゴミ侵入を防止する仕切り板７を不要にすることができる。さらにプリズム２０の形状を変えることによって、照射方向の調整を容易に行うことができ、掲示部６ｄの照射位置を変更することができる。
【００２６】
なお、本発明の技術範囲は上記実施の形態に限定されるものではなく、本発明の趣旨を逸脱しない範囲において種々の変更を加えることが可能である。たとえば、本実施形態では長手方向に伸びるＬＥＤ照明器具としているが、これに限らず、正方形状、円形状のものでも構わない。
【産業上の利用可能性】
【００２７】
本発明に係るＬＥＤ照明器具は、いままで室内を照らすだけだった照明器具を、掲示板としても活用させることができ、照明器具に付加機能を加えることによって、商品性を高めることができる。しかも、掲示部６ｄを照らすための光源は、室内を照明するためのＬＥＤチップ２を利用するので、消費電力を増やすことなくこれらを実施することができる。これにより、商店などにおいては、掲示部６ｄに広告等を掲示することによって、広告収入を得ることができ、ＬＥＤ光源による電気料金の節約だけでなく、新たな収入源とすることもできる。また、ＣＯ２削減に効果的なＬＥＤ照明器具の導入にともなう、機器の新たな購入費用や交換費用を補てんするものとして広告収入を得ることができれば、導入促進も図ることができ、ＣＯ２削減に大きく貢献することができる。
【符号の説明】
【００２８】
２  ＬＥＤチップ
３  カバー
６Ａ，６Ｂ  キャップ部
６ａ  表面
６ｂ  段部
６ｃ  開口部
６ｆ  裏面（導光部）
１０  反射板（導光部）
２０  プリズム（導光部）
１００，２００，３００  ＬＥＤ照明器具
【図１】
2012069367.tif 000003
【図２】
2012069367.tif 000004
【図３】
2012069367.tif 000005
【図４】
2012069367.tif 000006
【図５】
2012069367.tif 000007
【図６】
2012069367.tif 000008
【図７】
2012069367.tif 000009
【図８】
2012069367.tif 000010